(57)【特許請求の範囲】
【請求項１】
記録媒体に係る付加情報が付された受信データに基づいて手差しトレイに供給される記録媒体に画像形成を行う画像形成装置において、
前記付加情報、及び、ユーザから受け付けた手差しトレイの記録媒体に係る設定情報が一致するかを判定する一致判定手段と、
前記手差しトレイに記録媒体が無い状態から、前記手差しトレイに記録媒体の供給が行われたかを判定する供給判定手段と、
前記手差しトレイに記録媒体の供給が行われたと前記供給判定手段によって判定された場合であって、前記付加情報及び前記設定情報が一致しないと前記一致判定手段によって判定された場合、前記付加情報又は前記設定情報を確認する旨の通報を行う通報手段と
を備えることを特徴とする画像形成装置。
【請求項２】
前記手差しトレイでの記録媒体の有無を判定する有無判定手段を備え、
前記手差しトレイに記録媒体がないと前記有無判定手段によって判定された後、記録媒体の供給が行われたと前記供給判定手段によって判定された場合、前記通報手段は、前記一致判定手段の判定結果に基づいて、前記通報を行うように構成されていることを特徴とする請求項１に記載の画像形成装置。
【請求項３】
前記受信データに基づく前記画像形成のジョブの際、前記有無判定手段は前記記録媒体の有無の判定を行ない、
前記手差しトレイに記録媒体がないと前記有無判定手段によって判定された後、前記ジョブが終了したかを判定する終了判定手段を備え、
前記ジョブが終了したと前記終了判定手段によって判定された場合、前記通報手段は、前記一致判定手段及び前記供給判定手段の判定結果に基づいて、前記通報を行うように構成されていることを特徴とする請求項２に記載の画像形成装置。
【請求項４】
計時部と、
前記付加情報及び前記設定情報が一致すると前記一致判定手段によって判定された場合であって、前記記録媒体の供給が行われたと前記供給判定手段によって判定された場合、前記設定情報の受け付け時から一定時間が経過したかを判定する経過判定手段とを備え、
前記設定情報の受け付けから一定時間が経過したと前記経過判定手段によって判定された場合、前記通報手段は前記通報を行うように構成されていることを特徴とする請求項１から３の何れかに記載の画像形成装置。
【発明の詳細な説明】
【技術分野】
【０００１】
本発明は、記録媒体に係る付加情報が付された受信データに基づいて手差しトレイに供給される記録媒体に画像形成を行う画像形成装置に関する。
【背景技術】
【０００２】
複合機等の画像形成装置においては、使用頻度の低い大きさの用紙、ＯＨＰフィルム等の記録媒体のために、手差しトレイが取り付けられている。また、該手差しトレイに関するユーザの利便性を図るべく様々な技術が工夫されている。
【０００３】
例えば、特許文献１においては、手差しトレイに用紙がセットされたことが検知された場合、給紙トレイ設定画面を表示して用紙タイプの設定を受け付けることにより、ワークフローの設定を行う作業上の負担を軽減できる操作装置が開示されている。
【先行技術文献】
【特許文献】
【０００４】
【特許文献１】特開２０１１−１５７２１１号公報
【発明の概要】
【発明が解決しようとする課題】
【０００５】
一方、例えば、手差しトレイに対して設定されている用紙タイプと、外部のＰＣからの印刷ジョブに付されている用紙タイプとが不一致するような場合は、手差しトレイに対する設定が優先するとき、ユーザが希望しない記録用紙に印刷が行われるという問題が生じる可能性がある。
【０００６】
本発明は、斯かる事情に鑑みてなされたものであり、その目的とするところは、記録媒体に係る付加情報が付された受信データに基づいて手差しトレイに供給される記録媒体に画像形成を行う画像形成装置において、前記付加情報、及び、受け付けた手差しトレイの記録媒体に係る設定情報が一致するかを判定し、また、前記手差しトレイに記録媒体の供給が行われたかを判定し、これらの判定結果に基づいて、前記付加情報又は設定情報を確認する旨の通報を行うことにより、前記付加情報及び設定情報が一致しない場合のように、ユーザが希望しない記録用紙に印刷が行われる問題の可能性がある場合、通報を行ない、斯かる問題を事前に防止することができる画像形成装置を提供することにある。
【課題を解決するための手段】
【０００７】
本発明に係る画像形成装置は、記録媒体に係る付加情報が付された受信データに基づいて手差しトレイに供給される記録媒体に画像形成を行う画像形成装置において、前記付加情報、及び、受け付けた手差しトレイの記録媒体に係る設定情報が一致するかを判定する一致判定手段と、前記手差しトレイに記録媒体の供給が行われたかを判定する供給判定手段と、前記一致判定手段及び供給判定手段の判定結果に基づいて、前記付加情報又は設定情報を確認する旨の通報を行う通報手段とを備えることを特徴とする。
【０００８】
本発明に係る画像形成装置は、前記手差しトレイでの記録媒体の有無を判定する有無判定手段を備え、前記手差しトレイに記録媒体がないと判定された後、前記手差しトレイに記録媒体の供給が行われた場合、前記通報手段は、前記一致判定手段の判定結果に基づいて、前記通報を行うように構成されていることを特徴とする。
【０００９】
本発明に係る画像形成装置は、前記受信データに基づく前記画像形成のジョブの際、前記有無判定手段は前記記録媒体の有無の判定を行ない、前記手差しトレイに記録媒体がないと判定された後、前記ジョブが終了したかを判定する終了判定手段を備え、前記ジョブが終了した場合、前記通報手段は、前記一致判定手段及び供給判定手段の判定結果に基づいて、前記通報を行うように構成されていることを特徴とする。
【００１０】
本発明に係る画像形成装置は、計時部と、前記付加情報及び設定情報が一致すると判定された場合、前記設定情報の受け付け時から一定時間が経過したかを判定する経過判定手段とを備え、前記設定情報の受け付けから一定時間が経過した場合、前記通報手段は前記通報を行うように構成されていることを特徴とする。
【発明の効果】
【００１１】
本発明によれば、前記付加情報及び設定情報が一致しない場合のように、ユーザが希望しない記録用紙に印刷が行われる問題が発生する可能性がある場合、通報を行ない、前記問題の発生を事前に防止することができる。
【図面の簡単な説明】
【００１２】
【図１】本発明の実施の形態１に係る複合機の外観を示す斜視図である。
【図２】本発明の実施の形態１の複合機の要部構成を示す機能ブロック図である。
【図３】本発明の実施の形態１に係る複合機の制御部の要部構成を示す機能ブロック図である。
【図４】本発明の実施の形態１に係る複合機における、ユーザへの通報の処理を説明するフローチャートであり
【図５】本発明の実施の形態１に係る複合機において、前記付加情報又は設定情報の変更に対する対応を説明するフローチャートである。
【図６】本発明の実施の形態２に係る複合機における、ユーザへの通報の処理を説明するフローチャートである。
【図７】本発明の実施の形態３に係る複合機における、ユーザへの通報の処理を説明するフローチャートである。
【発明を実施するための形態】
【００１３】
以下に、本発明の実施の形態に係る画像形成装置を複合機に適用した場合を例として、図面に基づいて詳述する。
【００１４】
（実施の形態１）
図１は本発明の実施の形態１に係る複合機１００の外観を示す斜視図であり、図２は本発明の実施の形態１の複合機１００の要部構成を示す機能ブロック図である。複合機１００は、制御部１と、画像入力部２と、画像処理部３と、画像出力部４と、送受信部５と、操作パネル６と、表示部７と、記憶部８と、計時部９と、手差しトレイ２０と、排出トレイ３０と、トレイ部４０とを備えている。
【００１５】
本発明の実施の形態１に係る複合機１００は、外部（例えば、ＰＣ）から前記送受信部５を介して受信した受信データに基づいて、前記トレイ部４０又は手差しトレイ２０に載置（供給）された記録媒体に印刷を行う。
【００１６】
記憶部８は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００１７】
表示部７は、例えば、ＬＣＤ又はＥＬ（Electroluminescence）パネル等からなり、画像出力部４を介して、所定の記録媒体へ印刷すべき画像が表示される。また、表示部７は、複合機１００の状態、ジョブ処理の状況、画像入力部２が読み取った原稿の画像及び操作パネル６の操作内容の確認等、利用者に対して通報すべき情報を表示する。例えば、表示部７は、後述する付加情報又は設定情報の確認を促す旨のメッセージを表示してユーザに通報する。
【００１８】
画像入力部２は、読み取り用の原稿に光を照射する光源、ＣＣＤ（Charge Coupled Device）のようなイメージセンサ等を有し、該原稿の画像データの光学的読み取りを行なう。また、画像入力部２では、所定の読取り位置に載置された原稿からの反射光像を当該イメージセンサに結像させ、ＲＧＢ（R : Red, G : Green, B : Blue）のアナログデータを出力する。
【００１９】
画像処理部３は、例えば、画像入力部２から入力されるアナログデータを基にデジタル形式の画像データを生成し、又は記憶部８に記憶されている画像データを読み出し、夫々の画像の種類に応じた処理を施した後、印刷すべき印刷データを生成する。また、画像処理部３は、受信データに係る印刷ジョブの指示を受け付けた場合、外部から受信した例えばＰＣＬ形式の受信データに付された印刷情報を分析し、印刷部数、記録用紙サイズ、用紙タイプ（例えば、厚紙、薄紙）、トレイ指定など、印刷に必要なデータの解析を行う。
【００２０】
更に、画像処理部３は前記解析の結果に基づいて、前記印刷データを生成し、画像処理部３によって生成された印刷データは、画像出力部４に出力される。
【００２１】
画像出力部４は、画像処理部３から出力される画像データに基づく画像を記録用紙、ＯＨＰフィルム等の記録媒体上に印刷する。画像出力部４は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００２２】
また、操作パネル６は、複合機１００における「ファックス」、「複写」、「印刷」、「メール」等の機能を切り替える機能ボタン、テンキー、スタートキー、キャンセルキー、受け付けた指示を確定するためのエンターキー、画像入力部２を介して読み取った原稿の画像をシート状の記録媒体上に画像形成するための「出力」キー等を備えている。
【００２３】
送受信部５は、外部に前記原稿のデータを送信するネットワークカード、モデム等を備えている。例えば、送受信部５はＩ／Ｆ（図示せず）を介して外部のＰＣから印刷ジョブに係るデータ（受信データ）を受信する。
【００２４】
計時部９は、操作パネル６を介してユーザから前記設定情報の設定を受け付けた場合、経過時間の計時を開始する。
【００２５】
手差しトレイ２０には、記録媒体がセットされているか（有無）、及び、記録媒体がセットされている場合は記録媒体のサイズを検出する媒体検知センサ（図示せず）が設けられている。
【００２６】
また、トレイ部４０に、サイズが異なる記録媒体を収容するカセットを複数有している。
【００２７】
図３は本発明の実施の形態１に係る複合機１００の制御部１の要部構成を示す機能ブロック図である。制御部１は、ＣＰＵ１１と、ＲＯＭ１２と、ＲＡＭ１３と、一致判定部１４と、供給判定部１５と、通報部１６と、有無判定部１７と、終了判定部１８と、経過判定部１９とを更に有する。
【００２８】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００２９】
ＣＰＵ１１は、ＲＯＭ１２に予め格納されている制御プログラムをＲＡＭ１３上にロードして実行することによって、上述した各種ハードウェアの制御を行ない、装置全体を本発明の複合機１００として動作させる。  
【００３０】
一致判定部１４は、前記付加情報及び設定情報が一致するかを判定する。所定の印刷ジョブの指示と共に該ジョブに係る受信データが受信された場合、一致判定部１４は斯かる判定を行う。
【００３１】
前記付加情報は、前記受信データに付されている、例えば、印刷に係る条件のうち、記録媒体に係る情報である。前記付加情報は、例えば、記録用紙の大きさ（Ａ４、Ａ３等）、印刷ページ、印刷部数等が含まれる。また、前記設定情報は、操作パネル６を介してユーザから受け付けた手差しトレイ２０の記録媒体に係る情報である。前記設定情報は、例えば、手差しトレイ２０にセット（供給）する記録媒体の種類、記録用紙の大きさ等が含まれる。また、これに限るものでなく、記録媒体の色、厚みであっても良い。
【００３２】
有無判定部１７は、手差しトレイ２０における記録媒体の有無、すなわち、記録媒体のセット有無を判定する。有無判定部１７は、前記媒体検知センサの検知結果に基づいて、斯かる判定を行う。
【００３３】
供給判定部１５は、手差しトレイ２０に記録媒体の供給が行われたかを判定する。より詳しくは、有無判定部１７の判定結果、又は前記媒体検知センサの検知結果に基づいて、供給判定部１５は斯かる判定を行う。例えば、前記媒体検知センサによって、手差しトレイ２０に記録媒体がセットされていないと検知された後に、記録媒体がセットされていると検知結果が変わった場合、供給判定部１５は手差しトレイ２０に記録媒体の供給が行われたと判定する。
【００３４】
通報部１６は、一致判定部１４及び供給判定部１５の判定結果に基づいて、前記付加情報又は設定情報を確認する旨の通報を行う。例えば、一致判定部１４が前記付加情報及び設定情報が不一致すると判定した場合であって、供給判定部１５が手差しトレイ２０に記録媒体の供給が行われたと判定した場合、通報部１６は斯かる通報を行う。
【００３５】
例えば、通報部１６は、表示部７に前記付加情報又は設定情報の内容を表示し、再確認するよう促す。斯かる通報はこれに限るものでなく、音声によるアナウンス、又は警告音等であっても良い。
【００３６】
終了判定部１８は、有無判定部１７によって手差しトレイ２０に記録媒体がセットされていないと判定された場合、当該ジョブが終了したかを判定する。終了判定部１８は、例えば、ジョブの実行状況を確認することにより、斯かる判定を行う。例えば、印刷に斯かる所定のジョブの指示に応じて印刷が開始された後、手差しトレイ２０に記録媒体がセットされていないと判定されたとき、終了判定部１８は、該ジョブに係る付加情報（印刷ページ、部数等）と、既に印刷された枚数とを比較することによって、当該ジョブが終了したかの判定を行う。
【００３７】
経過判定部１９は、計時部９の計時結果に基づいて、前記設定情報の受け付け時から一定時間が経過したかを判定する。経過判定部１９による斯かる判定は、例えば、一致判定部１４によって、前記付加情報及び設定情報が一致すると判定された場合、行われる。
【００３８】
本発明の実施の形態１に係る複合機１００は以上のような構成を有するので、上述したように、前記付加情報より前記設定情報が優先されるなどの原因により、ユーザが希望しない記録媒体に印刷が行われる問題が発生する可能性がある場合、その旨を事前に通報することができ、該問題の発生を防止できる。以下、詳しく説明する。
【００３９】
図４は本発明の実施の形態１に係る複合機１００における、ユーザへの通報の処理を説明するフローチャートであり、図５は本発明の実施の形態１に係る複合機１００において、前記付加情報又は設定情報の変更に対する対応を説明するフローチャートである。
【００４０】
説明の便宜上、外部のＰＣから印刷のジョブの指示を受け付け、該ＰＣからＰＣＬ形式の受信データを受信する場合であって、付加情報における、記録用紙タイプ及び記録用紙大きさが変更する場合を例として説明する。
【００４１】
まず、前記付加情報又は設定情報の変更に対する対応を説明する。
【００４２】
手差しトレイ２０に記録用紙がセットされた場合、前記媒体検知センサがセットされた記録用紙を検知する（ステップＳ２０１）。
【００４３】
前記媒体検知センサの検知結果に基づいて、ＣＰＵ１１は、直前にセットされて既に記憶されている記録用紙の大きさと比較し、記録用紙の大きさが変更したか否かを判定する（ステップＳ２０２）。
【００４４】
ＣＰＵ１１によって記録用紙の大きさが変更されていないと判定された場合（ステップＳ２０２：ＮＯ）、処理はステップＳ２０４に進む。一方、ＣＰＵ１１は記録用紙の大きさが変更されたと判定された場合（ステップＳ２０２：ＹＥＳ）、記憶部８に変更された記録用紙の大きさを記憶させる（ステップＳ２０３）。
【００４５】
次いで、例えば、ユーザが操作パネル６を操作して設定情報を入力した場合、操作パネル６を介して設定情報の入力を受け付ける（ステップＳ２０４）。
【００４６】
この際、ＣＰＵ１１は、設定情報が変更されたか否かを判定する（ステップＳ２０５）。ＣＰＵ１１によって設定情報が変更されていないと判定された場合（ステップＳ２０５：ＮＯ）、処理はステップＳ２０１に戻る。
【００４７】
一方、ＣＰＵ１１は設定情報が変更されたと判定した場合（ステップＳ２０５：ＹＥＳ）、記憶部８に変更された設定情報を記憶させ、かつ、計時部９に計時を開始させる（ステップＳ２０６）。
【００４８】
次に、本発明の実施の形態１に係る複合機１００における、ユーザへの通報の処理を説明する。
【００４９】
例えば、外部のＰＣから印刷のジョブの指示を受け付け、該ＰＣからジョブに係るデータ、すなわち、受信データを受信する（ステップＳ１０１）。
【００５０】
この際、画像処理部３は、前記受信データに付された印刷情報を分析し、印刷に必要なデータの解釈を行い、該受信データに基づいて印刷データを生成する（ステップＳ１０２）。
【００５１】
次いで、ＣＰＵ１１は、画像処理部３による印刷情報の分析の結果に基づいて、受け付けた指示に係るジョブが手差しトレイ印刷、すなわち、手差しトレイに供給される記録媒体への印刷かを判定する（ステップＳ１０３）。
【００５２】
ＣＰＵ１１によって斯かるジョブが手差しトレイ印刷でないと判定された場合（ステップＳ１０３：ＮＯ）、処理は終了する。
【００５３】
また、ＣＰＵ１１によって、斯かるジョブが手差しトレイ印刷であると判定された場合（ステップＳ１０３：ＹＥＳ）、有無判定部１７は、手差しトレイ２０に記録媒体がセットされているか否か、換言すれば、手差しトレイ２０に記録用紙があるか否かを判定する（ステップＳ１０４）。
【００５４】
有無判定部１７によって、手差しトレイ２０に記録用紙があると判定された場合（ステップＳ１０４：ＹＥＳ）、処理は終了する。
【００５５】
一方、有無判定部１７によって、手差しトレイ２０に記録用紙がないと判定された場合（ステップＳ１０４：ＮＯ）、ＣＰＵ１１は印刷を中止する（ステップＳ１０５）。
【００５６】
次いで、供給判定部１５は、有無判定部１７の判定結果、又は前記媒体検知センサの検知結果に基づいて、手差しトレイ２０に記録用紙の供給が行われたかを判定する（ステップＳ１０６）。供給判定部１５による斯かる判定については既に説明しており、詳しい説明を省略する。
【００５７】
供給判定部１５によって、手差しトレイ２０に記録用紙の供給が行われていないと判定された場合（ステップＳ１０６：ＮＯ）、供給判定部１５は斯かる判定を繰り返して行う。
【００５８】
一方、供給判定部１５によって、手差しトレイ２０に記録用紙の供給が行われたと判定された場合（ステップＳ１０６：ＹＥＳ）、一致判定部１４は、前記印刷情報における付加情報及び前記設定情報が一致するかを判定する（ステップＳ１０７）。
【００５９】
一致判定部１４によって、前記付加情報及び前記設定情報が一致すると判定した場合（ステップＳ１０７：ＹＥＳ）、処理は終了する。
【００６０】
また、一致判定部１４によって、前記付加情報及び前記設定情報が一致しないと判定された場合（ステップＳ１０７：ＮＯ）、例えば、前記付加情報における記録用紙タイプ又は記録用紙大きさ等が変更された場合、ユーザが希望しない記録用紙に印刷が行われる可能性がある。従って、通報部１６は、例えば、表示部７に前記付加情報又は設定情報の内容を表示し、ユーザに斯かる内容の再確認を行うよう促す旨の通報を行う（ステップＳ１０８）。
【００６１】
このような通報部１６による通報は、供給判定部１５が手差しトレイ２０に記録用紙の供給が行われたと判定した場合、換言すれば、記録用紙の供給のためユーザが複合機１００の隣りに居る場合に行われる。従って、ユーザは斯かる通報に応じて即時に操作パネル６を操作して前記設定情報の確認・変更かでき、上述したように、ユーザが希望しない記録媒体に印刷が行われる問題の発生を事前に防止できる。
【００６２】
（実施の形態２）
図６は本発明の実施の形態２に係る複合機１００における、ユーザへの通報の処理を説明するフローチャートである。実施の形態２においては、説明の便宜上、外部のＰＣから印刷のジョブの指示を受け付け、該ＰＣからＰＣＬ形式の受信データを受信する場合であって、付加情報における、記録用紙タイプ及び記録用紙大きさが変更する場合を例として説明する。
【００６３】
例えば、外部のＰＣから印刷のジョブの指示を受け付け、該ＰＣから受信データを受信する（ステップＳ３０１）。また、この際、画像処理部３は、該受信データに基づいて印刷データを生成する（ステップＳ３０２）。
【００６４】
次いで、ＣＰＵ１１は、受け付けた指示に係るジョブが手差しトレイ印刷であるかを判定する（ステップＳ３０３）。ＣＰＵ１１によって斯かるジョブが手差しトレイ印刷でないと判定された場合（ステップＳ３０３：ＮＯ）、処理は終了する。
【００６５】
また、ＣＰＵ１１によって、斯かるジョブが手差しトレイ印刷であると判定された場合（ステップＳ３０３：ＹＥＳ）、有無判定部１７は手差しトレイ２０に記録用紙があるか否かを判定する（ステップＳ３０４）。
【００６６】
一方、有無判定部１７によって、手差しトレイ２０に記録用紙がないと判定された場合（ステップＳ３０４：ＮＯ）、ＣＰＵ１１は印刷を中止する（ステップＳ３０５）。
【００６７】
以降、ステップＳ３０６〜ステップＳ３０８の処理は、実施の形態１における、ステップＳ１０６〜ステップＳ１０８の処理と同じであり、詳しい説明を省略する。
【００６８】
一方、ステップＳ３０４にて、有無判定部１７により、手差しトレイ２０に記録用紙があると判定された場合（ステップＳ３０４：ＹＥＳ）、ＣＰＵ１１は受け付けたジョブに係る印刷を開始する（ステップＳ３０９）。
【００６９】
このように、受け付けたジョブに係る印刷が開始された後であっても、有無判定部１７は手差しトレイ２０に記録用紙があるか否かを判定する（ステップＳ３１０）。
【００７０】
有無判定部１７によって手差しトレイ２０に記録用紙があると判定された場合（ステップＳ３１０：ＹＥＳ）、処理はステップＳ３０９に戻り、斯かる印刷は継続される。
【００７１】
一方、有無判定部１７によって手差しトレイ２０に記録用紙がないと判定された場合（ステップＳ３１０：ＮＯ）、終了判定部１８は、ジョブの実行状況を確認することにより、受け付けた当該ジョブが終了したかを判定する（ステップＳ３１１）。終了判定部１８による斯かる判定については既に説明しており、詳しい説明を省略する。
【００７２】
終了判定部１８により、受け付けた当該ジョブが終了していないと判定された場合（ステップＳ３１１：ＮＯ）、すなわち、受け付けたジョブに係る印刷の途中、手差しトレイ２０に記録用紙がなくなった場合、処理は終了する。すなわち、通用部１６による通報は行われない。
【００７３】
しかし、終了判定部１８により、受け付けた当該ジョブが終了したと判定された場合（ステップＳ３１１：ＹＥＳ）、続くジョブの指示にて、前記付加情報における記録用紙タイプ又は記録用紙大きさ等が変更され、ユーザが希望しない記録用紙に印刷が行われる可能性がある。従って、処理はステップＳ３０６に移動する。
【００７４】
この後、手差しトレイ２０に記録用紙の供給が行われたかが判定され、手差しトレイ２０に記録用紙の供給が行われた場合、当該付加情報及び前記設定情報が一致するかが判定される。前記付加情報及び前記設定情報が一致しないと判定された場合は、前記付加情報又は設定情報の内容の再確認を行うよう促す旨の通報が行われる。
【００７５】
このように、実施の形態２に係る複合機１００においては、手差しトレイ２０に記録用紙が切れた場合は、印刷が終了したときのみ、当該付加情報及び前記設定情報が一致するかが判定され、該判定結果に基づいて前記通報が行われる。
【００７６】
従って、上述したような効果を奏しつつ、印刷の途中に記録用紙切れによって印刷が中止され、手差しトレイ２０に記録用紙が補給される都度、斯かる通報が行われることを未然に防ぐことができる。
【００７７】
（実施の形態３）
図７は本発明の実施の形態３に係る複合機１００における、ユーザへの通報の処理を説明するフローチャートである。実施の形態３においても、説明の便宜上、外部のＰＣから印刷のジョブの指示を受け付け、該ＰＣからＰＣＬ形式の受信データを受信する場合であって、付加情報における、記録用紙タイプ及び記録用紙大きさが変更する場合を例として説明する。
【００７８】
図７における、ステップＳ４０１〜ステップＳ４０３の処理は、実施の形態１における、テップＳ１０１〜ステップＳ１０３の処理と同じであり、詳しい説明を省略する。
【００７９】
一方、有無判定部１７が手差しトレイ２０に記録用紙があるか否かの判定を行ない（ステップＳ４０４）、手差しトレイ２０に記録用紙があると判定された場合（ステップＳ４０４：ＹＥＳ）、ＣＰＵ１１は受け付けたジョブに係る印刷を開始する（ステップＳ４０９）。
【００８０】
以降、ステップＳ４１０及びステップＳ４１１での処理は、実施の形態２における、テップＳ３１０〜ステップＳ３１１の処理と同じであり、詳しい説明を省略する。
【００８１】
一方、終了判定部１８により、受け付けた当該ジョブが終了したと判定された場合（ステップＳ４１１：ＹＥＳ）、続くジョブにて、前記付加情報における記録用紙タイプ又は記録用紙大きさ等が変更され、ユーザが希望しない記録用紙に印刷が行われる可能性がある。従って、処理はステップＳ４０６に移動する。
【００８２】
この際、供給判定部１５は、有無判定部１７の判定結果、又は前記媒体検知センサの検知結果に基づいて、手差しトレイ２０に記録用紙の供給が行われたかを判定する（ステップＳ４０６）。供給判定部１５によって、手差しトレイ２０に記録用紙の供給が行われていないと判定された場合（ステップＳ４０６：ＮＯ）、供給判定部１５は斯かる判定を繰り返して行う。
【００８３】
一方、供給判定部１５によって、手差しトレイ２０に記録用紙の供給が行われたと判定された場合（ステップＳ４０６：ＹＥＳ）、一致判定部１４は、前記印刷情報における付加情報及び前記設定情報が一致するかを判定する（ステップＳ４０７）。
【００８４】
一致判定部１４によって、前記付加情報及び前記設定情報が一致しないと判定された場合（ステップＳ４０７：ＮＯ）、上述したように、前記付加情報における記録用紙タイプ又は記録用紙大きさ等が変更された場合、ユーザが希望しない記録用紙に印刷が行われる可能性がある。従って、通報部１６は、上述したように通報を行う（ステップＳ４０８）。
【００８５】
一方、一致判定部１４によって、前記付加情報及び前記設定情報が一致すると判定した場合（ステップＳ４０７：ＹＥＳ）、経過判定部１９は、計時部９の計時結果に基づいて、前記設定情報の受け付け時から一定時間が経過したかを判定する（ステップＳ４１２）。すなわち、経過判定部１９は、直前に操作パネル６を介してユーザから設定情報の設定を受け付けた時から一定時間が経過したかを判定する。
【００８６】
経過判定部１９によって、前記設定情報の受け付け時から一定時間が経過していないと判定された場合（ステップＳ４１２：ＮＯ）、処理は終了する。
【００８７】
しかし、経過判定部１９によって、前記設定情報の受け付け時から一定時間が経過したと判定された場合（ステップＳ４１２：ＹＥＳ）、通報部１６は、上述したように、通報を行う（ステップＳ４０８）。
【００８８】
このように、実施の形態３に係る複合機１００においては、直前にユーザから設定情報の設定を受け付けた時から一定時間が経過した場合は、前記付加情報及び前記設定情報が一致する場合であっても、上述したような通報が行われる。
【００８９】
従って、前記付加情報において変更があり、手差しトレイ２０への記録媒体の補給がされたものの、手差しトレイ２０のセンサによる検知が出来ない変更があった場合、例えば、記録用紙の色違い、記録媒体の厚み違い、記録用紙からＯＨＰフィルムへの記録媒体変更等により、ユーザが希望しない記録用紙に印刷が行われることを極力防ぐことが出来る。
【００９０】
なお、上述した一致判定部１４と、供給判定部１５と、通報部１６と、有無判定部１７と、終了判定部１８と、経過判定部１９は、ハードウェアロジックによって構成してもよいし、ＣＰＵ１１が所定のプログラムを実行することにより、ソフトウェア的に構築されてもよい。
【００９１】
本発明の実施態様１においては、記録媒体に係る付加情報が付された受信データに基づいて手差しトレイ２０に供給される記録媒体に画像形成を行う画像形成装置１００において、前記付加情報、及び、受け付けた手差しトレイ２０の記録媒体に係る設定情報が一致するかを判定する一致判定手段１４と、前記手差しトレイ２０に記録媒体の供給が行われたかを判定する供給判定手段１５と、前記一致判定手段１４及び供給判定手段１５の判定結果に基づいて、前記付加情報又は設定情報を確認する旨の通報を行う通報手段１６とを備えることを特徴とする。
【００９２】
本発明によれば、例えば、前記手差しトレイに記録媒体の供給が行われたと判定された場合であって、前記付加情報及び前記設定情報が一致しないと判定された場合、前記通報手段が前記付加情報又は設定情報を確認する旨の通報を行う。
【００９３】
本発明の実施態様２においては、前記手差しトレイ２０での記録媒体の有無を判定する有無判定手段１７を備え、前記手差しトレイ２０に記録媒体がないと判定された後、前記手差しトレイ２０に記録媒体の供給が行われた場合、前記通報手段１６は、前記一致判定手段１４の判定結果に基づいて、前記通報を行うように構成されていることを特徴とする。
【００９４】
本発明によれば、前記有無判定手段によって前記手差しトレイに記録媒体がないと判定された後、前記手差しトレイに記録媒体の供給が行われた場合であって、前記付加情報及び前記設定情報が一致しないと判定された場合、前記通報手段は前記通報を行うように構成されていることを特徴とする
【００９５】
本発明の実施態様３においては、前記受信データに基づく前記画像形成のジョブの際、前記有無判定手段１７は前記記録媒体の有無の判定を行ない、前記手差しトレイ２０に記録媒体がないと判定された後、前記ジョブが終了したかを判定する終了判定手段１８を備え、前記ジョブが終了した場合、前記通報手段１６は、前記一致判定手段１４及び供給判定手段１５の判定結果に基づいて、前記通報を行うように構成されていることを特徴とする。
【００９６】
本発明によれば、前記受信データに基づく前記画像形成のジョブの際、前記手差しトレイに記録媒体がないと判定された後、前記終了判定手段が当該ジョブが終了したかの判定を行ない、前記ジョブが終了したと判定された場合、前記通報手段は、前記一致判定手段及び供給判定手段の判定結果に基づいて、前記通報を行う。
【００９７】
本発明の実施態様４においては、計時部９と、前記付加情報及び設定情報が一致すると判定された場合、前記設定情報の受け付け時から一定時間が経過したかを判定する経過判定手段１９とを備え、前記設定情報の受け付けから一定時間が経過した場合、前記通報手段１６は前記通報を行うように構成されていることを特徴とする。
【００９８】
本発明によれば、前記付加情報及び設定情報が一致すると判定された場合でも、前記経過判定手段によって、前記設定情報の受け付け時から一定時間が経過したと判定された場合、前記通報手段は前記通報を行う。
【符号の説明】
【００９９】
１１  ＣＰＵ
１４  一致判定部
１５  供給判定部
１６  通報部
１７  有無判定部
１８  終了判定部
１９  経過判定部
２０  手差しトレイ
１００  複合機
【図１】
0006489792.tif 000002
【図２】
0006489792.tif 000003
【図３】
0006489792.tif 000004
【図４】
0006489792.tif 000005
【図５】
0006489792.tif 000006
【図６】
0006489792.tif 000007
【図７】
0006489792.tif 000008